(57)【要約】【課題】多面体壁を構成する単位パネルの復元音を気にならない程度に小さくし得る陽圧缶を提供する。【解決手段】缶胴を有する缶本体と、缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、前記単位パネルの最大デプス変化量の最大値が０．５４ｍｍ以下、あるいは、最大デプス変化量の最大値が０．４ｍｍ以上の単位パネルの最大デプス変化量の平均値が０．４５ｍｍ以下となるように構成されている。【選択図】図６
2019131293.tif 000002
【特許請求の範囲】
【請求項１】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．５４ｍｍ以下となるように構成されていることを特徴とする陽圧缶。
【請求項２】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量が０．４ｍｍ以上となる単位パネルについての最大デプス変化量の平均値が０．４５ｍｍ以下となるように構成されていることを特徴とする陽圧缶。
【請求項３】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量が０．４ｍｍ未満の単位パネルのみで構成されており、前記単位パネルの最大デプス変化量の平均値が０．４ｍｍ未満となるように構成されていることを特徴とする陽圧缶。
【請求項４】
前記単位パネルの最大デプス変化量の平均値が０．１５ｍｍ以上で０．４ｍｍ未満となるように構成されている請求項３に記載の陽圧缶。
【請求項５】
前記単位パネルの最大デプス変化量の平均値が０．１５ｍｍ未満となるように構成されている請求項３に記載の陽圧缶。
【請求項６】
前記陽圧缶の開封時の前記復元音の音圧レベルを、前記缶胴から４０ｃｍ離れた位置において、７２ｄＢ以下に設定した請求項１乃至５のいずれか１項に記載の陽圧缶。
【請求項７】
前記多面体壁は、缶胴の面積の７５％以下とする請求項１乃至６のいずれか１項に記載の陽圧缶。
【請求項８】
前記単位パネルは前記境界稜線としての斜め稜線によって区画される菱形形状で、前記缶胴の中心軸線を通る中心面上に位置する２つの頂点と、中心面に対して対称位置に位置する２つの頂点の計４つの頂点を有し、内圧が加わらない自由状態で、前記中心面に対して対称位置に位置する頂点を結ぶ谷折りの横稜線によって、前記缶胴の内方に屈曲して窪んだ構成となっており、前記最大デプス変化量は、前記横稜線の中点における単位パネルデプスの変化量とする請求項１乃至７のいずれか１項に記載の陽圧缶。
【請求項９】
前記多面体壁は、複数の前記単位パネルが前記缶胴の中心軸線と平行方向に並んだ単位パネル列が、前記缶胴の周方向に全周的に密に配列された構成で、前記単位パネルの横稜線を通る断面の角数が、１４角から１６角の範囲に設定されている請求項８に記載の陽圧
缶。
【請求項１０】
前記単位パネルの面積は、８０ｍｍ２以上で１２０ｍｍ２以下に設定されている請求項９に記載の陽圧缶。
【請求項１１】
前記単位パネルは、前記缶胴の中心軸線と平行方向の断面形状が円弧状に窪んだ形状となっている請求項１乃至７のいずれか１項に記載の陽圧缶。
【請求項１２】
最大デプス変化量は、開封前の内圧が２０〜３００ｋＰａにおける最大デプス変化量である請求項1乃至１１のいずれか１項に記載の陽圧缶。
【請求項１３】
前記開封前の内圧が１２０〜１５０ｋＰａである請求項１２に記載の陽圧缶。
【発明の詳細な説明】
【技術分野】
【０００１】
本発明は、たとえば、ビール、酎ハイ等の炭酸系飲料用の缶、内容物の酸化を防ぐ不活性ガスが封入された缶等、缶胴に内圧が作用する陽圧缶に関し、特に、缶胴に複数の単位パネルによって構成される多面体壁を有し、密封状態では単位パネルが内圧によって外側に膨らみ、開封時に元の形状に復元し、復元する際に復元音を発する陽圧缶に関する。
【背景技術】
【０００２】
従来のこの種の陽圧缶としては、たとえば、特許文献１に記載のような陽圧缶が知られている。
この陽圧缶は、缶胴を有する缶本体と、缶本体を陽圧状態で密閉する缶蓋とを備え、缶胴の少なくとも一部に多面体壁を有し、多面体壁は凸条の境界稜線で区画された折り構造の多数の単位パネルで構成されている。単位パネルは、缶胴を部分的に窪ませた形状で、缶胴に作用する内圧によって窪みが小さくなる方向に弾性変形し、缶蓋の開封時に元の窪んだ形状に復元するようになっている。
このように、内容物を密封した状態では、内圧によって単位パネルの窪みによる凹凸が小さく、開封すると、窪み形状が復元し、缶胴の剛性を向上させると共に、視覚的に使用者に強い印象を与え、商品価値を高めるものであった。
【先行技術文献】
【特許文献】
【０００３】
【特許文献１】特許第３９１５４５０号公報
【発明の概要】
【発明が解決しようとする課題】
【０００４】
本発明者等は、この多面体壁を有する陽圧缶の商品価値をさらに高めるべく、鋭意研究した結果、開封時に単位パネルの形状が元の形状に復元する際に聞こえる復元音に着目した。
従来の陽圧缶については、プルタブによる缶蓋の引き裂き音と、ガスが抜ける際のガス放出音が大きく聞こえ、その後に復元音が聞こえている。この復元音は、複数回聞こえることもあり、注意すると気になる音であった。
本発明の目的は、多面体壁を構成する単位パネルの復元音を気にならない程度に小さくし得る陽圧缶を提供することにある。
【課題を解決するための手段】
【０００５】
上記目的を達成するために、本発明は、
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．５４ｍｍ以下に設定されていることを特徴とする。
単位パネルは、全周が境界稜線で囲まれている必要はなく、単位パネルの少なくとも一部が境界稜線で区画されている場合も含まれる。
最大デプス変化量の最大値を０．５４ｍｍ以下とすることによって、ガス放出音の後に聞こえる復元音を、ガス放出音に紛れて気にならない音のレベルまで小さくすることができる。
また、他の発明は、缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量が０．４ｍｍ以上となる単位パネルについての最大デプス変化量の平均値が０．４５ｍｍ以下となるように構成されていることを特徴とする。
最大デプス変化量の最大値を基準とするとばらつきが大きくなるので、単位パネルの最大デプス変化量の平均値をとることを検討した。しかし、全ての単位パネルが完全に復元されるわけではなく、一部の単位パネルが復元しない場合もあり、単純に平均値をとっても明確にならないことがわかった。検討の結果、最大デプス変化量が０．４ｍｍ未満となる単位パネルを除外した平均値とすることにより、復元しない単位パネルの影響を除外することができ、多面体壁の復元形態を、正確に評価することができることがわかった。
このように平均値を用いることで、最大デプス変化量を安定して評価でき、一定以上の安定した復元音が得られる陽圧缶を実現できる。
最大デプス変化量の最大値が０．４ｍｍ未満の場合は、音圧レベルは十分に低くなっている。
さらに、他の発明としては、缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の平均値が０．４ｍｍ未満となるように構成されていることを特徴とする。
最大デプス変化量の０．４ｍｍ以上の単位パネルの平均値について、０．４５ｍｍ以下に設定しており、最大デプス変化量の最大値が０．４ｍｍから０．４５ｍｍの間にある場合は、当然、平均値は０．４５ｍｍ未満となる。
最大デプス変化量が０．４ｍｍ以上の単位パネルが無い場合には、復元しない単位パネルが少なく、全ての単位パネルの最大デプス変化量の平均値で評価するものとする。平均値は、０．４ｍｍを超えることは無いので、０．４ｍｍ未満となるように構成される。
【０００６】
また、本発明は次のように構成することができる。
１）単位パネルの最大デプス変化量の平均値を０．４ｍｍ未満とする場合に、０．１５ｍｍ以上で０．４ｍｍ未満となるように設定する。
この範囲では、音が聞こえるが、気にならない程度に小さくなる。
２）前記単位パネルの最大デプス変化量の平均値を０．１５ｍｍ以下とする。
この範囲まで小さくすれば、完全に聞こえないレベルとすることができる。
３）前記陽圧缶の開封時の前記復元音の音圧レベルを、前記缶胴から４０ｃｍ離れた位置において、７２ｄＢ以下に設定する。
ガス放出音は７０ｄＢ程度であり、７０ｄＢ程度、７２ｄＢ以下であれば、気にならないレベルとなる。好ましくは７０ｄＢ以下に設定する。
４）前記多面体壁は、缶胴の面積の７５％以下とする。
５）単位パネルは前記境界稜線としての斜め稜線によって区画される菱形形状で、前記缶胴の中心軸線を通る中心面上に位置する２つの頂点と、中心面に対して対称位置に位置する２つの頂点の計４つの頂点を有し、内圧が加わらない自由状態で、前記中心面に対して対称位置に位置する頂点を結ぶ谷折りの横稜線によって、前記缶胴の内方に屈曲して窪んだ構成となっており、前記最大変化デプス量は、前記横稜線の中点における単位パネルデプスの変化量とする。
このようにすれば、単位パネルの境界稜線の剛性が高く、内圧で中央が膨らむように変
形していた横稜線が一気に元の形状に戻るものの、最大デプス変化量が小さいので、復元音を低減することができる。なお、単位パネルが完全に弾性復元する場合だけでなく、一部塑性変形して、完全には元の形状に戻らない場合も含まれる。
１４角より小さくなると、単位パネルの面積が大きくなり、最大デプス変化量が大きくなって、復元音が気になる大きさとなる。
一方、１６角より大きいと、単位パネルの大きさが小さくなるために、成形が困難となる。よって１４角から１６角とすることが好適である。
７）単位パネルの面積は、８０ｍｍ２以上で１２０ｍｍ２以下に設定される。
８０ｍｍ２より小さいと、パネル成形が困難となり、１２０ｍｍ２より大きいと、最大デプス変化量は大きくなり、復元音が大きくなる。
８）単位パネルは、前記缶胴の中心軸線と平行方向の断面形状が円弧状に窪んだ形状となっている。
円弧状の場合単位パネルが変形しやすいが、最大デプス変化量の平均値を０．４５ｍｍ以下とすれば、復元音を気にならないレベルまで小さくすることができる。
９）最大デプス変化量は、開封前の内圧が２０〜３００ｋＰａにおける最大デプス変化量、好適には１２０〜１５０ｋＰａとする。
内圧が高くなると、内圧作用状態のパネルデプスが浅くなり、内圧開放状態のパネルデプスとの差が大きくなり、結果的に最大デプス変化量は大きくなる。
本発明は、最大デプス変化量と復元音の間に一定の関係があることを見出したもので、内圧の好適な範囲としては、内圧作用時に、単位パネルの窪みが円筒に近くなるまで十分に変形させ、しかも塑性変形をできるだけ生じさせず、内圧開放時に元の窪み形状まで復帰させる程度の範囲であり、最大デプス変化量測定時の好ましい内圧の範囲としては２０〜３００ｋＰａ、より好ましい範囲としては、１２０〜１５０ｋＰａとする。
この内圧の条件設定は、陽圧缶の使用範囲を制限するものではなく測定時の条件を設定するものである。たとえば、１２０ｋＰａより低圧、あるいは１５０ｋＰａより高圧で使用されているとしても、この圧力範囲で測定したときに、最大デプス変化量が請求項に記載の範囲となるものを含むものとする。
【発明の効果】
【０００７】
本願発明によれば、多面体壁を構成する単位パネルの復元音を気にならない程度に小さくすることができる。
【図面の簡単な説明】
【０００８】
【図１】図１は、本発明の実施の形態１に係る陽圧缶を示すもので、（Ａ）は内圧作用状態の正面図、（Ｂ）は内圧開放状態の正面図、（Ｃ）は（Ｂ）のＣ部の拡大概略斜視図、（Ｄ）は（Ｂ）のＤ−Ｄ線断面図である。
【図２】図２は、図１の陽圧缶の単位パネルを示すもので、（Ａ）は正面図、（Ｂ）は（Ａ）のＢ−Ｂ線断面図、（Ｃ）は（Ａ）のＣ−Ｃ線断面図である。
【図３】図３は、本発明の実施の形態２に係る陽圧缶を示すもので、（Ａ）は内圧作用状態の正面図、（Ｂ）は内圧解放状態の正面図、（Ｃ）は（Ｂ）の一つの波打ち曲面を示す図、（Ｄ）は（Ｃ）のＤ−Ｄ線断面図、（Ｅ）は（Ｂ）のＥ―Ｅ線断面図である。
【図４】図４は、図３の陽圧缶の単位パネルを示すもので、（Ａ）は正面図、（Ｂ）は（Ａ）のＢ−Ｂ線断面図、（Ｃ）は（Ａ）のＣ−Ｃ線断面図である。
【図５】図５（Ａ）は、本発明の陽圧缶の最大デプス変化量の測定方法を示す図、（Ｂ）は陽圧缶の復元音の測定方法を示す図である。
【図６】図６は、単位パネルの最大デプス変化量の最大値と復元音の音圧レベルの関係を示すグラフである。
【図７】図７は、最大デプス変化量が０．４ｍｍ未満の単位パネルを除外した最大デプス変化量の平均値と復元音の関係を示すグラフである。
【図８】図８（Ａ）は全ての単位パネルの最大デプス変化量の平均値と復元音の関係、（Ｂ）は最大デプス変化量が０．３ｍｍ未満の単位パネルを除外した平均値と復元音の関係を示すグラフである。
【発明を実施するための形態】
【０００９】
以下に本発明を図示の実施形態に基づいて詳細に説明する。
この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
［実施形態１］
図１は、本発明の実施形態１に係る陽圧缶を示すもので、図１（Ａ）は内圧作用状態、図１（Ｂ）は内圧開放状態を示している。
陽圧缶１は、缶胴２１を有する有底筒状の缶本体２と、缶本体２を陽圧状態で密閉する缶蓋３とを備え、缶胴２１の少なくとも一部に多面体壁４を有している。缶本体２は、ストレートに延びる円筒形状の缶胴２１と、缶胴２１の上端の径を絞ったネック部２２と、底部２３とを有する構成で、ネック部２２上端の口部に缶蓋３が巻締め固定されている。
陽圧缶１は、アルミ合金製の絞りしごき缶であり、一般的に、その容量は１６０ｍｌ〜５００ｍｌ、５℃における缶内圧が２０〜３００［ｋＰａ］、缶胴２１の板厚が０．０７５〜０．１３５［ｍｍ］、缶胴径が５０〜７０［ｍｍ］、缶高さが９０〜１７０［ｍｍ］の範囲で使用されている。
【００１０】
多面体壁４は、缶胴２１の周長は変化させずに折り構造によって凹凸形状としたもので、斜め稜線５１の折り目で区画された多数の単位パネル５で構成されている。すなわち、所定数の単位パネル５が缶胴２１の中心軸線Ｎと平行方向（以下、単に軸方向という）に配列されてパネル列５０を構成し、このパネル列５０が缶胴２１の周方向に全周的に配列された構成となっている。互いに隣り合うパネル列５０の単位パネル５の軸方向の位相は、単位パネル５の軸方向の長さの半分だけずらして配列され、単位パネル５が軸方向及び周方向に密に配列されている。
多面体壁４は、この例では、缶胴２１の軸方向中途部分に、帯状に設けられ、多面体壁４の上部及び下部領域は、凹凸の無い円筒面となっている。多面体壁４の面積は、図示例では缶胴に対して５０％程度となっているが、復元音を考慮し、缶胴の７５％以下とすることが、好適である。
【００１１】
図１（Ｃ）は、図１（Ｂ）のＣ部拡大図である。
単位パネル５は、内圧が作用しない自由状態では、缶胴２１の中心軸線Ｎと直交する面上に位置する谷折りの横稜線５２を境界として缶内部に向かって、くの字状に屈曲するように窪んでいる。隣り合うパネル列５０は、単位パネル５の長さの半分だけ軸方向にずれているので、周方向に一つ置きに位置するパネル列５０の単位パネル５は、軸方向に同一位相にあり、横稜線５２が、共通する頂点５３を介してつながっている。したがって、単位パネル５の横稜線５２の位置で、缶胴２１の中心軸線Ｎと直交方向に切断した断面は、図１（Ｄ）に示すように、正多角形状となる。図示例では１４角形状となっているが、１４角形に限定されない。なお、頂点５３の角は、面取りされている。また、横稜線５２については、図示例では直線状に記載しているが、内圧解放状態及び空缶状態で、±０．５ｍｍ程度、缶内方に凸の円弧状、あるいは缶外方に凸の円弧状等の曲線形状となっていてもよい。
内圧作用状態では、個々の単位パネル５は、缶胴２１に作用する内圧によって、図１（Ｃ）の二点鎖線で示すように、横稜線５２が缶胴の円筒面に倣った円弧状に変形する。斜め稜線５１についても、缶胴２１の円筒面に倣うように変形するが、図１（Ｃ）では、簡易的に直線として記載している。
そして、缶蓋３のタブ６を引き起こして開封すると、開封部から内部のガスが放出されてガス放出音が生じると共に、個々の単位パネル５の斜め稜線５１及び横稜線５２が直線
形状に瞬間的に復元し、凹凸形状が現れると共に、その衝撃によって復元音が発生する。
復元音の大きさを決定する要因は、単位パネル５の形状、面積、板厚等、種々の要因が考えられるが、本発明者等は、鋭意検討した結果、単位パネル５の形状のデプスの変化量である最大デプス変化量と相関関係があることを見出した。
【００１２】
以下、図２を参照して、単位パネル５の最大デプス変化量について説明する。
図２（Ａ）は、単位パネル５の正面図、（Ｂ）は（Ａ）のＢ−Ｂ線断面図、（Ｃ）は（Ａ）のＣ−Ｃ線断面図である。図２（Ｂ），（Ｃ）において、破線は内圧作用状態、実線が内圧解放時の復元状態を示している。
この実施形態１における単位パネル５のパネルデプスは、頂点５３ａと頂点５３ｃを結ぶ線から、横稜線５２の中点ｍまでの、缶胴２１の中心軸線Ｎと直交方向の距離であり、最大デプス変化量ｄｍａｘは、内圧作用状態および内圧開放状態における前記パネルデプスの変化量である。
単位パネル５は、図２（Ａ）に示すように、４つの斜め稜線５１によって区画される菱形形状で、４つの斜め稜線５１をフレームとするドラムのように振動し、この振動によって空気が振動して復元音が発現する。
この単位パネル５は、缶胴２１の中心軸線Ｎを通る中心面Ｍ上に位置する２つの頂点５３ａ、５３ｃと、中心面Ｍに対して対称位置に位置する２つの頂点５３ｂ、５３ｄの計４つの頂点を有している。これら４つの頂点５３ａ〜５３ｄは、缶胴２１を構成する円筒面とほぼ一致する仮想円筒面Ｙ（図２（Ｂ）中、二点鎖線で示す）上に位置し、内圧が加わらない自由状態で、中心面Ｍに対して対称位置に位置する頂点５３ｂ、５３ｄを結ぶ谷折りの横稜線５２によって、図２（Ｂ）の実線で示すように、軸方向に缶胴２１の内方にくの字状に屈曲して窪んだ構成となっている。
内圧作用状態では、図２（Ｂ）に破線で示すように、上方三角形部分５Ａと下方三角形部分５Ｂが、軸方向に延ばされるように変形し、横稜線５２の中点ｍが、上下の頂点５３ａ，５３ｃを結ぶ線に近い位置まで変位する。横断面で見ると、図２（Ｃ）に破線で示すように、円弧状に変形している。
一方、内圧が開放されると、図２（Ｂ）に実線で示すように、単位パネル５は、くの字形状に復元し、横稜線５２の中点ｍは最深部に戻る。横断面で見ると、図２（Ｃ）に示すように、破線の円弧状から実線の直線状に復元する。
この中点ｍが単位パネル５の最も大きく変位する部分で、この中点ｍにおけるパネルデプスの変化量を最大デプス変化量ｄｍａｘとし、単位パネルの最大デプス変化量ｄｍａｘの最大値が０．５４ｍｍ以下となるように構成される。
【００１３】
後述する評価試験の測定結果（図６）より、最大デプス変化量ｄｍａｘの最大値を０．５４ｍｍ以下とすることによって、ガス放出音の後に聞こえる復元音を、ガス放出音に近い気にならない音のレベルまで小さくすることができる。音圧レベルとしては、缶胴２１から４０ｃｍ離れた位置において、７５ｄＢより小さい範囲、さらに７０ｄＢ程度以下にすることができる。
また、単位パネルの最大デプス変化量ｄｍａｘの平均値で評価する場合には、後述する評価試験の測定結果（図７、図８）より、最大デプス変化量ｄｍａｘが０．４ｍｍ以上となる単位パネルについての最大デプス変化量ｄｍａｘの平均値を０．４５ｍｍ以下とする。
最大デプス変化量ｄｍａｘが０．４ｍｍ以上となる単位パネルが無い場合には、最大デプス変化量ｄｍａｘの平均値が０．４ｍｍ未満とする。特に、最大デプス変化量ｄｍａｘの平均値が０．４ｍｍ未満で０．１５ｍｍ以上とすれば、音が聞こえるが、気にならない程度に小さくなる。
さらに、単位パネルの最大デプス変化量の平均値を０．１５ｍｍ未満としておけば、完全に聞こえないレベルとすることができる。
【００１４】
［多面体壁４の角数と最大デプス変化量ｄｍａｘの関係］
最大デプス変化量ｄｍａｘは、単位パネル５が小さいほど、小さくなる傾向にある。単位パネル５の大きさは、缶胴２１の胴径が同じであれば、図１（Ｃ）に示した横断面の角数によって幾何学的に決まり、角数が多いほど最大デプス変化量ｄｍａｘが小さくなる。逆に角数が少ないほど、単位パネル５が大きくなって変形しやすく、最大デプス変化量ｄｍａｘが大きくなる。たとえば、缶胴径が５０〜７０ｍｍの範囲の場合、１４角から１６角とすることが好適である。断面角数が１６角より大きくなると、缶胴径Ｄが５０〜７０ｍｍの範囲ではパネル成形が困難となる。１４角から１６角程度に設定すれば、最大デプス変化量ｄｍａｘの最大値を０．５４ｍｍ以下、あるいは最大デプス変化量ｄｍａｘが０．４ｍｍ以上の単位パネルの最大デプス変化量ｄｍａｘの平均値が、０．４５ｍｍ以下となるように構成することができる。また、１６角程度とすれば、最大デプス変化量ｄｍａｘの平均値を０．１５ｍｍ程度に設定し０．１５ｍｍ未満あるいは０．１５ｍｍ以上となるように構成することもできる。
また、横稜線５２の長さが幾何学的に決まっても、パネル面積は、縦寸法で変わってくるので、１４角から１６角で、８０ｍｍ２以上で１２０ｍｍ２以下に設定することが好適である。８０ｍｍ２より小さいと、パネル成形が困難となり、１２０ｍｍ２より大きいと、最大デプス変化量は大きくなり、復元音が大きくなる。
ここで、単位パネル５の面積は、平面的に展開した状態の面積、すなわち、単位パネル５の上方三角形部分５Ａと下方三角形部分５Ｂの面積を足し合わせた面積である。
【００１５】
［最大デプス変化量ｄｍａｘの調整］
最大デプス変化量ｄｍａｘは、たとえば、空缶時のパネルデプスを調整することによって調整可能である。横稜線５２を、缶の内側あるいは外側に円弧状に湾曲させることで空缶時のパネルデプスを調整することができる。すなわち、缶の内側に円弧状に湾曲させれば、最大デプス変化量ｄｍａｘは大きくなり、缶の外側に円弧状に湾曲させれば最大デプス変化量ｄｍａｘは小さくなる。
【００１６】
［実施形態２］
次に、図３及び図４を参照して、本発明の実施形態２について説明する。以下の説明では、上記実施形態と異なる点についてのみ説明するものとし、同一の部分については同一の符号を付して説明を省略する。
図３は、実施形態２に係る陽圧缶を示すもので、図１と同様に、図３（Ａ）は内圧作用状態を示し、図３（Ｂ）は内圧解放状態を示している。
実施形態１では、単位パネル５が、直線的な横稜線５２の折り目でくの字状に窪んだパネルによって構成されているが、実施形態２では、単位パネル２５の、缶胴２１の中心軸線Ｎと平行方向の断面形状が円弧状に窪んだパネル構成となっている。
【００１７】
多面体壁２４には、軸方向に山部２６と谷部２７が交互に形成される波打ち曲面３０が、周方向に複数形成されている。この波打ち曲面３０は、図１（Ｃ），（Ｄ）に示すように、缶胴２１の中心軸線Ｎを通る中心面Ｍに対して対称形状の波形稜線２５１，２５２で区画されており、波形稜線２５１，２５２間の間隔の狭い部分が波打ち曲面３０の山部２６となり、間隔の広い部分が谷部２７となっている。単位パネル２５は、波打ち曲面３０の一つの山部２６の頂部２６ａから谷部２７を経て次の山部２６の頂部２６ａまでの領域で、山部２６の頂部２６ａによって、上下の単位パネル２５が区分される。すなわち、この実施形態２では、波形稜線２５１，２５２によって単位パネル２５の全周が画定されるのではなく、一部は開いた構成で、山部２６の頂部２６ａによって区分されるようになっている。この例では、山部２６で区分されているが、波形稜線２５１，２５２の間隔が狭い部分が接触していてもよく、その場合には全周が境界稜線によって区画される。
互いに隣り合う波打ち曲面３０，３０の単位パネル２５の軸方向の位相は、単位パネルの軸方向長さの半分だけずれており、単位パネル２５が軸方向及び周方向に密に配列され
ている。
【００１８】
波打ち曲面３０の、缶胴２１の中心軸線Ｎと直交方向の断面はどの位置でも直線状で、たとえば、山部２６の頂部２６ａの位置で缶胴２１の中心軸線Ｎと直交方向に切断した断面は、図３（Ｅ）に示すように、山部２６の頂部２６ａの部分が狭く、単位パネル２５の中間位置が広い多角形状となっている。図示例では、山部２６を挟んで単位パネル２５が１２面形成されているが、１２面に限定されない。また、波打ち曲面３０の、缶胴２１の中心軸線Ｎと直交方向の断面は、後述する［最大デプス変化量ｄｍａｘの調整］にあるように、谷部２７における断面を缶の内側あるいは外側に円弧状に湾曲させる場合もあり、直線状に限定されない。
多面体壁４は、内圧作用状態では、図３（Ａ）に示すように、各波打ち曲面３０が軸方向に直線的に変形し、全体として凹凸の無い円筒面となる。各単位パネル２５について見ると、水平断面において、円弧状に変形し、窪みがなくなる。そして、缶蓋３の開封時に、図３（Ｂ）に示すように、各単位パネル２５は元の形状に復元し、復元する際に復元音を発する構成となっている。
この実施形態２においても、復元音は、実施形態１と同様に、単位パネル２５の最大デプス変化量と相関関係がある。
【００１９】
以下、図４を参照して、単位パネル２５の最大デプス変化量ｄｍａｘについて説明する。
図４（Ａ）は、単位パネル２５の正面図、（Ｂ）は（Ａ）のＢ−Ｂ線断面図、（Ｃ）は（Ａ）のＣ−Ｃ線断面図である。図２と同様に、図４（Ｂ），（Ｃ）において、破線は内圧作用状態、実線が内圧解放時の復元状態を示している。
この実施形態２における単位パネル５のパネルデプスは、上下の２つの頂部２６ａを結ぶ線から、パネル中心ｍ２までの、缶胴２１の中心軸線Ｎと直交方向の距離であり、最大デプス変化量ｄｍａｘは、内圧作用状態および内圧開放状態における前記パネルデプスの変化量である。
単位パネル５は、図４（Ａ）に示すように、波打ち曲面３０の一つの山部２６の頂部２６ａから谷部２７を経て次の山部２６の頂部２６ａまでの領域で、互いに交差しない一対の波形稜線２５１，２５２によって区画されている。
波形稜線２５１，２５２は、軸方向に、凹円弧稜線２５１ｂ、２５２ｂと凸円弧稜線２５１ａ，２５２ａが交互に繰り返し形成されるもので、中心面Ｍに対して、互いの凹円弧稜線２５１ｂ、２５２ｂと凸円弧稜線２５１ａ，２５２ａが対称的に対向している。谷部２７の領域では、凹円弧稜線２５１ｂ，２５２ｂが対向して樽形状に、上下の山部２６は、凸円弧稜線２５１ａ，２５２ａの頂点ａ１、ａ２までの部分が対向し、徐々に幅狭になる形状となっている。
この凸円弧稜線２５１ａ，２５２ａの頂点ａ１，ａ２は、波打ち曲面３０の山部２６の頂部２６ａに位置するもので、単位パネル２５の上下に折り目となる稜線はなく、山部２６の頂部２６ａで区分されている。また、凹円弧稜線２５１ｂ，２５２ｂの最大幅となる頂点ｂ１，ｂ２の位置は、隣接する単位パネル２５の山部２６の頂部２６ａが位置しており、単位パネル２５の凹円弧稜線２５１ｂ，２５２ｂの頂点ｂ１，ｂ２と、凸円弧稜線２５１ａ，２５２ａの頂点ａ１，ａ２は、缶胴２１の円筒面とほぼ一致する一つの仮想円筒面上に位置している。
単位パネル２５のパネル中心ｍ２は、中心面Ｍ上であって、最大幅となる凹円弧稜線２５１ｂ，２５２ｂの頂点ｂ１，ｂ２を結ぶ仮想横線Ｘとの交点であり、単位パネル２５を構成する波打ち曲面３０の谷部２７の、仮想円筒面からの最深部である。また、このパネル中心ｍ２は、上下の山部２６の頂部２６ａ，２６ａの中間位置でもある。
【００２０】
パネル中心ｍ２は、図４（Ｂ）の実線で示すように、缶胴２１の内方に向かって円弧状に窪んだ形状となっている。内圧作用状態では、図４（Ｂ）に破線で示すように、円弧
状に窪んだ単位パネル２５が，缶胴２１の中心軸線Ｎと平行に延ばされるように変形し、パネル中心ｍ２が、上下の山部２６の頂部２６ａ，２６ａを結ぶ線に近い位置まで変位する。横断面で見ると、図４（Ｃ）に破線で示すように、円弧状に変形している。
一方、内圧が開放されると、図４（Ｂ）に実線で示すように、単位パネル５は、円弧形状に復元し、パネル中心ｍ２は最深部に戻る。横断面で見ると、図４（Ｃ）に示すように、破線の円弧状から実線の直線状に復元する。
このパネル中心ｍ２が単位パネル２５の最も大きく変位する部分であり、このパネル中心ｍ２内圧作用状態および内圧開放状態における前記パネルデプスの変化量が、最大デプス変化量ｄｍａｘであり、最大デプス変化量ｄｍａｘの最大値を０．５４ｍｍ以下に設定すれば、復元音はガス放出音より十分に低い音量とすることができる。円弧状のパネルの場合には、復元しない単位パネルが少ないので、最大デプス変化量の平均値が、０．４ｍｍ未満、少なくとも０．１５ｍｍ以下まで低くすれば、十分に低い音量となる。
【００２１】
［最大デプス変化量ｄｍａｘの調整］
本実施形態２についても実施形態１と同様に、最大デプス変化量ｄｍａｘは、たとえば、空缶時のパネルデプスを調整することによって調整可能である。波打ち曲面３０の、缶胴２１の中心軸線Ｎと直交方向の断面はどの位置でも直線状となっているが、谷部２７における断面を缶の内側あるいは外側に円弧状に湾曲させることで空缶時のパネルデプスを調整することができる。すなわち、缶の内側に円弧状に湾曲させれば、最大デプス変化量ｄｍａｘは大きくなり、缶の外側に円弧状に湾曲させれば最大デプス変化量ｄｍａｘを小さくなる。断面を缶の内側に湾曲させた場合は、内圧作用状態でのパネル中心ｍ２は、上下の２つの頂部２６ａを結ぶ線よりも外側の位置まで変位する場合もある。
【００２２】
［評価試験］
以下に、復元音の評価試験について説明する。
評価試験は、単位パネルが菱形形状の次のサンプルを用意した。サンプル１〜６が比較例、サンプル７が本発明のサンプルである。さらにサンプル８として、実施形態２と同一形態の単位パネルが円弧形状のサンプルを用意した。
（サンプル１）角数：１３角、パネル個数：９１個、空缶デプス：０．８１ｍｍ、単位パネル面積：１２６ｍｍ２、多面体壁面積：缶胴の６８％
（サンプル２）角数：１３角、パネル個数：９１個、空缶デプス：０．８５ｍｍ、単位パネル面積：１２６ｍｍ２、多面体壁面積：缶胴の６８％
（サンプル３）角数：１３角、パネル個数：９１個、空缶デプス：０．８９ｍｍ、単位パネル面積：１２６ｍｍ２、多面体壁面積：缶胴の６８％
（サンプル４）角数：１３角、パネル個数：９１個、空缶デプス：０．９２ｍｍ、単位パネル面積：１２６ｍｍ２、多面体壁面積：缶胴の６８％
（サンプル５）角数：１１角、パネル個数：６６個、空缶デプス：１．３８ｍｍ、単位パネル面積：１７７ｍｍ２、多面体壁面積：缶胴の７０％
（サンプル６）角数：１１角、パネル個数：６６個、空缶デプス：１．４５ｍｍ、単位パネル面積：１７７ｍｍ２、多面体壁面積：缶胴の７０％
（サンプル７）角数：１６角、パネル個数：１４４個、空缶デプス：０．８３ｍｍ、単位パネル面積：８３ｍｍ２、多面体壁面積：缶胴の７０％
（サンプル８）波打ち曲面数：２６面、単位パネル面積：１０９ｍｍ２、多面体壁面積：缶胴の７０％、最大デプス変化量が大きくなるようにパネルデプスを調整。波打ち曲面数は高さが半位相ずれた面も１面と数える。
（試験条件）
評価試験の条件は、次の通りである。
・温度：５℃保管（液温は６．５〜８℃）、
・缶内圧：１２０〜１５０ｋＰａ
・缶胴の板厚０．０９２〜０．１２２ｍｍ
・缶胴径：６６．５〜６７ｍｍ
・缶高さ：１２１．８〜１２２．２ｍｍ
・内容量：３５０ｍｌ
（試験方法）
最大デプス変化量ｄｍａｘは、内圧作用状態でのパネルデプスを測定し、次に内圧開放状態でのパネルデプスを測定し、その差を計測して求める。パネルデプスの測定方法は、図５（Ａ）に示すように、陽圧缶１のボトム側をバキュームにより水平に保持し、デジマチックインジゲータ１００（「デジマチック」は「株式会社ミツトヨ」の登録商標）の測定子１０１を、垂直に頂点５３に当ててその高さをゼロ点とし、陽圧缶１を中心軸線Ｎ方向にスライドさせ、デジマチックインジゲータ１００を横稜線５３の中点ｍの位置に合わせ、測定子１０１を横稜線５３の中点ｍに当てて高さを読み取って求める。
デジマチックインジケータ１００は、水平の台上に垂直に立設されるスタンド１０２に固定される支持腕１０３に支持され、姿勢を垂直に保持される。一方、スタンド１０２のデジマチックインジケータ１００の下方位置に、陽圧缶１を保持し、陽圧缶１の中心軸線Ｎに沿って水平に移動させる水平移動機構１０４が設けられている。水平移動機構１０４は、陽圧缶１の口部を保持する保持部１０５と、保持部１０５を水平に移動させるシリンダ機構や送りねじ機構等の伸縮部１０６とを備えた構成となっている。
パネルデプスは全ての単位パネル５で求め、各単位パネル５の内圧作用状態および内圧開放状態でのパネルデプスの差を最大デプス変化量ｄｍａｘとし、その最大値、さらに各単位パネルの最大デプス変化量ｄｍａｘの平均値を算出した。平均値は、最大デプス変化量ｄｍａｘが０．４ｍｍ未満の単位パネルを除いた単位パネルについての最大デプス変化量の平均値と、最大デプス変化量ｄｍａｘが０．３ｍｍ未満の単位パネルを除いた単位パネルについての最大デプス変化量の平均値と、最大デプス変化量ｄｍａｘの寸法によって単位パネルを除外しないで単位パネル全てについて求めた平均値についても算出している。各サンプルは３缶ずつで、最大デプス変化量の最大値については、最大値の３缶の平均値を（ａｖｅ）、最大値を（ｍａｘ）、最小値を（ｍｉｎ）としている。また、各単位パネルの最大デプス変化量ｄｍａｘの平均値については、測定数３缶に対する平均値を（ａｖｅ）、最大値を（ｍａｘ）、最小値を（ｍｉｎ）としている。デジマチックインジゲータは、「株式会社ミツトヨ」製、型番ＩＤ−Ｃ１０１２、測定子１０１は、「株式会社ミツトヨ」製、型番１３７４１３を用いた。
一方、復元音の測定は、図５（Ｂ）に示すように、缶から４０ｃｍ離した位置で騒音計１２０を設置し、音の大きさを測定した。この４０ｃｍは、マイク１２１と陽圧缶１と間の距離Ｌである。４０ｃｍの意味は、実際の開口時の缶と耳のおおよその距離を意味している。また、騒音計１２０は、床置きとし、台１２２によって、マイク１２１の高さを、床から６０ｃｍ程度の高さに保持した。測定値は時間軸の波形データとして得られる。陽圧缶１を開口すると、始めにプルタブによる缶蓋の引き裂き音が発生し、次いでガス放出音、復元音の順に発生するので、復元音の部分の波形データの最大値を復元音の音圧レベルとしている。周波数重み付け特性はＡ特性で、時間重み付け特性はＦとしている。測定数は３缶で、復元音の平均値（ａｖｅ）、最大値（ｍａｘ）、最小値（ｍｉｎ）を求めた。
騒音計１２０としては、「リオン株式会社」製、型番ＮＬ−４２を用い、マイク１２１の先端にはウインドスクリーンＷＳ−１０を取り付けている。
【００２３】
（測定結果）
測定結果は、表１に示す通りである。
【００２４】
【表１】
2019131293.tif 000003
【００２５】
図６及び図７は、表１のデータをグラフ化したものである。
図６には、最大デプス変化量の最大値と復元音の大きさの関係が示され、図７には、最大デプス変化量の平均値と復元音の大きさの関係が示されている。各グラフにおいて、サンプル１〜サンプル７を、それぞれＳ１〜Ｓ７として示している。
まず、図６を参照して、最大デプス変化量の最大値と復元音の大きさの関係について説明する。
比較例の１１角のサンプル５（Ｓ５）とサンプル６（Ｓ６）については、最大デプス変化量の最大値は０．７４ｍｍ〜０．８６ｍｍの範囲で、復元音が７６ｄＢ〜８０ｄＢと大きくなっている。一方、１３角のサンプル１（Ｓ１）〜サンプル４（Ｓ４）については、最大デプス変化量の平均値は０．５５ｍｍ〜０．７４ｍｍの範囲で、復元音は７２ｄＢ〜７９ｄＢの範囲となっている。サンプル８（Ｓ８）については、最大デプス変化量の最大値が、１．００ｍｍで、復元音は８３ｄＢである。
一方、本発明品に係るサンプル７（Ｓ７）については、最大デプス変化量の最大値は０．２２ｍｍ〜０．３１ｍｍの範囲で、４３ｄＢ〜４６ｄＢの範囲と、ほぼ聞こえない範囲まで小さくなっている。
図６において、１１角のサンプル５（Ｓ５）およびサンプル６（Ｓ６）の最大デプス変化量と復元音の平均値の点をｇ１、１３角のサンプル１（Ｓ１）〜サンプル４（Ｓ４）の最大デプス変化量と復元音の平均値の点をｇ２とし、ｇ１とｇ２及びサンプル８を通る直線をＧ１とすると、１１角のサンプル５（Ｓ５）とサンプル６（Ｓ６）に対して、１３角のサンプル１（Ｓ１）〜サンプル４（Ｓ４）の方が、最大デプス変化量が小さく、復元音も小さくなっている。
さらに、サンプル７（Ｓ７）についての、最大デプス変化量の平均値をｇ３とし、１３角のサンプル１（Ｓ１）〜サンプル４（Ｓ４）の平均点ｇ２を通る直線をＧ２とすると、１３角に対して１６角に向けて、最大デプス変化量がさらに小さくなり、復元音も大きく低下している。この直線Ｇ２の勾配はＧ１の勾配よりも大きくなっている。
仮に、直線Ｇ１が１３角のサンプル１（Ｓ１）〜サンプル４（Ｓ４）の最大デプス変化量の最小値の０．５５ｍｍに達すると７５ｄＢより下回り、０．５４ｍｍでは、７３ｄＢ程度まで低下する。また、直線Ｇ２では、０．５４ｍｍのラインでは、ガス放出音の７０ｄＢを下回り、６６ｄＢ程度まで低下し、復元音が全く気にならない範囲となる。実際には、復元音は、最大デプス変化量の低下に伴って、直線Ｇ１より直線Ｇ２に近い範囲で低下し、単位パネルの最大デプス変化量の最大値が０．５４ｍｍ以下であれば、ガス放出音の前後のレベルまでに低下する。サンプル８は円弧パネルでサンプル１〜７とは異なるが、最大デプス変化量と復元音の関係については、Ｇ１のライン上にあり、最大デプス変化量に応じて同様の挙動をする。サンプル８は、波打ち曲面が２６面で、サンプル1〜４の
断面角型の１３角に類似するが、最大デプス変化量及び復元音については大きくなっている。最大デプス変化量を小さくする場合には、波打ち曲面の数を増やす対応となる。
【００２６】
次に、図７及び図８を参照して、最大デプス変化量の平均値と復元音の大きさの関係について説明する。
図６のように、最大デプス変化量の最大値を用いる場合、ばらつきが大きくなる可能性があるので、単位パネルの最大デプス変化量の平均値をとることを検討した。しかし、全ての単位パネルの最大デプス変化量の平均値をとると、図８（Ａ）に示すように、本発明のサンプル５（Ｓ５），サンプル６（Ｓ６）が、比較例のサンプル（Ｓ１）〜サンプル４（Ｓ４）よりも、最大デプス変化量の平均値は小さいという反対の結果となった。この結果を検討した結果、全ての単位パネルが完全に復元されるわけではなく、一部の単位パネルについて、復元が不完全なものがあるためということがわかった。そこで、０．３ｍｍ以上の最大デプス変化量となる単位パネルについての平均値、０．４ｍｍ以上の最大デプス変化量となる単位パネルについての平均値について算出し、グラフとしたのが図７と図８（Ｂ）である。
０．３ｍｍ以上の単位パネルを抽出したものでは、図８（Ｂ）に示すように、サンプル５（Ｓ５）およびサンプル６（Ｓ６）が、サンプル１〜サンプル４と交錯する範囲となり
、判然としないが、０．４ｍｍ以上の単位パネルを抽出すると、図７に示すように、サンプル５（Ｓ５）およびサンプル６（Ｓ６）が、サンプル１〜サンプル４と交錯する範囲を脱し、サンプル５（Ｓ５）およびサンプル６（Ｓ６）の最大デプス変化量（平均値）が、サンプル１〜サンプル４の最大デプス変化量（平均値）よりも大きく、明確に分かれることが分かった。
そこで、各缶の最大デプス変化量の平均値の算出にあたって、最大デプス変化量が０．４ｍｍ未満の単位パネルを除外し、復元しない単位パネルの影響を排除するものとした。サンプル７（Ｓ７）は、全ての単位パネルが復元しており、制限なしの最大デプス変化量の平均値をとり、サンプル１（Ｓ１）〜サンプル６（Ｓ６）の０．４ｍｍ未満を除外したデータと同等に扱うものとする。
図７に示すように、比較例の１１角のサンプル５（Ｓ５）とサンプル６（Ｓ６）については、最大デプス変化量の平均値は０．５７ｍｍ〜０．６７ｍｍの範囲で、復元音が７６ｄＢ〜８０ｄＢと大きくなっている。一方、１３角のサンプル１（Ｓ１）〜サンプル４（Ｓ４）については、最大デプス変化量の平均値は０．４８ｍｍ〜０．５３ｍｍの範囲で、復元音は７２ｄＢ〜７８ｄＢの範囲となっている。
本発明品に係るサンプル７（Ｓ７）については、最大デプス変化量の平均値は０．１７ｍｍ〜０．２０ｍｍの範囲で、４３ｄＢ〜４６ｄＢの範囲と、ほぼ聞こえない範囲まで小さくなっている。
図７において、１１角のサンプル５（Ｓ５）とサンプル６（Ｓ６）の最大デプス変化量と復元音の平均値の点をｇ１１、１３角のサンプル１（Ｓ１）〜サンプル４（Ｓ４）の最大デプス変化量と復元音の平均値の点をｇ１２とし、ｇ１１とｇ１２を通る直線をＧ１１とすると、１１角のサンプル５（Ｓ５）とサンプル６（Ｓ６）に対して、１３角のサンプル１（Ｓ１）〜サンプル４（Ｓ４）の方が、最大デプス変化量が小さく、復元音も小さくなっている。
さらに、サンプル７（Ｓ７）についての、最大デプス変化量の平均値をｇ１３とし、１３角のサンプル１（Ｓ１）〜サンプル４（Ｓ４）の平均点ｇ１２を通る直線をＧ１２とすると、１３角に対して１６角に向けて、最大デプス変化量がさらに小さくなり、復元音も大きく低下している。この直線Ｇ１２の勾配はＧ１１の勾配よりも大きくなっている。
【００２７】
直線Ｇ１２では、０．４５ｍｍのラインでは、ガス放出音と同程度の７１ｄＢ付近まで低下しており、復元音が気にならない範囲となる。復元音は、最大デプス変化量の低下に伴って、直線Ｇ１１より直線Ｇ１２に近い範囲で低下するものと考えられ、最大デプス変化量が０．４ｍｍ以上となる単位パネルの最大デプス変化量の平均値が、０．４５ｍｍ以下であれば、７５ｄＢを切って、ガス放出音に近いレベルまで低下する。ガス放出音は７０ｄＢ程度であり、７２ｄＢ以下であれば、気にならないレベルとなる。好ましくは７０ｄB以下に設定する。
一方、最大デプス変化量の０．４ｍｍ以上の単位パネルの平均値について、０．４５ｍｍ以上に設定しており、最大デプス変化量の最大値が０．４ｍｍから０．４５ｍｍの間にある場合は、当然、平均値は０．４５ｍｍ未満となる。
最大デプス変化量が０．４ｍｍ以上の単位パネルが無い場合には、復元しない単位パネルの影響が小さく、全ての単位パネルの最大デプス変化量の平均値で評価するものとする。平均値は、０．４ｍｍを超えることは無いので、０．４ｍｍ未満となるように構成すればよい。
また、図７に示すように、最大デプス変化量の平均値が０．１５ｍｍに達すると４０ｄＢより小さくなり、ほとんど聞こえないレベルとなっている。したがって、最大デプス変化量の平均値を、０．１５ｍｍ以上で０．４ｍｍ未満となるように設定すれば、音が聞こえるが、気にならない程度に小さくなるレベルとすることができる。
また、単位パネルの最大デプス変化量の平均値を０．１５ｍｍ以下としておけば、完全に聞こえないレベルとすることができる。
円弧状の単位パネルの場合には、サンプル８のデータしかないものの、最大デプス変化
量の平均値が、０．４ｍｍ未満、少なくとも０．１５ｍｍ以下まで低くすれば、ガス放出音に対して十分に低い音量となる。
断面角数では、１４角と１６角の間、１４角，１５角、１６角程度であれば、最大デプス変化量の平均値は０．４５ｍｍ以下となる。
なお、多面体壁を構成する単位パネルについては、上記実施形態１の屈曲した菱形形状、実施形態２の円弧形状に限られず、折り構造によって、缶胴の内方に窪んだ形状で、缶胴に作用する内圧によって窪みが小さくなる方向に変形し、缶蓋の開封時に元の形状に復元する種々のパターンに適用可能である。
【符号の説明】
【００２８】
１    陽圧缶、
２    缶本体
２１    缶胴、２２    ネック部、２３    底部、
３    缶蓋
４    多面体壁
５    単位パネル  ５Ａ    上方三角形部分、５Ｂ    下方三角形部分
５１    斜め稜線、５２    横稜線、５３（５３ａ〜５３ｄ）    頂点
５０  パネル列
６        タブ
２４    多面体壁
２５    単位パネル
２５１，２５２    波形稜線、
３０    波打ち曲面
２６    山部、２６ａ    頂部  ２７    谷部
１００    デジマチックインジケータ
１２０    騒音計
Ｍ        中心面
Ｎ        中心軸線
ｄｍａｘ  最大デプス変化量
ｍ        横稜線の中点
ｍ２      パネル中心
【図１】
2019131293.tif 000004
【図２】
2019131293.tif 000005
【図３】
2019131293.tif 000006
【図４】
2019131293.tif 000007
【図５】
2019131293.tif 000008
【図６】
2019131293.tif 000009
【図７】
2019131293.tif 000010
【図８】
2019131293.tif 000011